(57)【要約】【課題】先願の負圧式陰茎勃起装置では、陰茎の勃起に比較的時間がかかり、且、真空解除后の真空ポンプの取外しに手間を要する不満足な点があった。【解決手段】シリンダ−の内面に、縦方向に所定数の凹溝を設けてなる負圧式陰茎勃起用シリンダ−で、且、内径がシリンダ−の解放端に嵌着される陰茎密閉環用内径よりも小径としたシリンダ−を使用して、シリンダ−開放端の反対側の外周にテ−パ−をつけた嵌着座を設け、真空ポンプに連結したキャップに、前記嵌着座に着脱可能なテ−パ−を設けて、当該キャップの外周に舌弁を取付けて成る負圧式陰茎勃起装置。【選択図】　図５
2004121383.tif 000002
【特許請求の範囲】
【請求項１】
シリンダーの内面に、縦方向に所定数の凹溝を設けて成る陰茎勃起用シリンダー。
【請求項２】
内径がシリンダーの解放端に嵌着される陰茎密閉環嵌着用内径よりも小径としたシリンダーで、当該シリンダーの内面に、縦方向に所定数の凹溝を設けて成る陰茎勃起用シリンダー。
【請求項３】
特許請求の範囲第２項のシリンダーの解放端の反対側の外周にテーパーをつけた嵌着座を設け、真空ポンプに連結したキャップに前記嵌着座と着脱可能な逆テーパーを設けて、当該キャップの外周に舌片を取付けて成る負圧式陰茎勃起装置。
【発明の詳細な説明】
【０００１】
【発明の属する技術分野】
この発明は、陰茎の勃起不十分乃至不能者等の陰茎勃起用の器具類と装置に関するもので、本発明者の先願である特願２００１−０８３４２４及び実願２００１−００８４９３の改良に関するものである。
【０００２】
【従来の技術】
男女間の性機能に伴う器具装置の発明・考案は、平成年代に入って豊かな食料事情と、交通機関の発達による運動不足の影響による糖尿病患者の増加、或いは近代の技術革新、多忙化による業務ストレス、更には高齢化の急速な進展乃至生殖臓器の摘出手術等により、インポテンツ者が増加の傾向にある。
【０００３】
【特許文献１】
実用新案登録第３０８７００３号公報
【非特許文献１】
特願２００１−８３４２４
【０００４】
これ等の社会的環境に対して、医学的見地からも関心が高まり、泌尿器学会、インポテンツ学会等において、学術報告がなされ、平成年に入って次第に特許、実用新案の出願件数も増加し、非負圧式、負圧式共に出願が多くなってきている。
【０００５】
【発明が解決しようとする課題】
先願の負圧式陰茎勃起装置では、陰茎の勃起に比較的時間がかかり、且、真空解除后の真空ポンプの取外しに手間を要する不満足な点があった。
【０００６】
【課題を解決するための手段】
上記に鑑みて、本発明者は、陰茎の勃起が速やかに短時間で済み、且、真空ポンプの真空解除后の取外しに瞬間的に器具の分離を可能にしたものである。
【０００７】
すなわち、陰茎勃起が短時間で済ませるために、シリンダーの内面に、縦方向に所定数の凹溝を設け、又、真空解除を瞬間的に行わせるために、シリンダーと真空ポンプを連結する着脱可能のテーパー嵌着座の真空ポンプ側キャップの外周の部に舌片を設けたものである。
【０００８】
【発明の実施の形態】
図１は、本発明に係るシリンダーの縦断面図、図２は陰茎密閉環部を省略した同右側面図、図３はシリンダーの横断面拡大図で、陰茎勃起操作途中のシリンダーに対する陰茎の相対関係図、図４は負圧式陰茎勃起装置全体図、図５はシリンダーと真空ポンプ嵌着部の斜視説明図である。
【０００９】
図例のシリンダーは、全長１４０ｍｍ、外径４１ｍｍ、内径３２ｍｍ、陰茎密閉環嵌着用内径３６ｍｍ程度、凹溝数６個の例を示す。
【００１０】
先願に係るシリンダーの内径は３６ｍｍであったが、本発明では内方へ２ｍｍ張出して肉厚部は従来のシリンダー内径３６ｍｍから３２ｍｍと径を狭めてある。
【００１１】
溝部の肉厚は１ｍｍ程度とした。
【００１２】
シリンダー１の解放端Ａの反対側Ｂの外周にテーパーをつけた嵌着座６に、着脱自在に嵌合する真空ポンプ７の、キャップ８の外周には、図例では１個所に舌片９を設けてある。
【００１３】
【発明の使用態様】
シリンダー１の解放端Ａ側に、取付けられた陰茎密閉環３の開口へ陰茎の亀頭を当て、真空ポンプ７を作動して、シリンダー１内を負圧に導くと、亀頭はシリンダー１内へ吸引される。
【００１４】
この際陰茎１２の外表面は、凹溝２の内部にも入り込み、図３の拡大図に示すように、凹溝２の中へ入り込んだ陰茎１２の一部１２Ａは、凹溝２の角の空隙２Ａを一杯に充満することなく透かせて膨張拡大伸展し、陰茎１２は前方にもするすると延びる。
【００１５】
真空吸引作動中に、舌片９をこじてシリンダー１とキャップ８の密嵌合を少し解除し空気をシリンダー１内へ若干入れ、又、キャップ８を押圧してシリンダー１との嵌合を密にして再び吸引を繰返すと、陰茎１２内の海綿体中の血流が良好となって、陰茎の伸縮度が強くなり、膨張が迅速になる。
【００１６】
かくして、真空ポンプ７のピストンを数回引くだけで陰茎は滑らかで速かにシリンダー内へ十分に延びて膨張する。この間の時間は２分程度で済む。
【００１７】
次でキャップ８の舌片９を指でこじ開けると、瞬間的にシリンダー内に空気が入り、シリンダーと真空ポンプはスッと分離する。
【００１８】
その后はシリンダーから先願の実用新案登録出願に係る陰茎勃起保持具を陰茎の根元に緊締させる。
【００１９】
【発明の効果】
１，従来のシリンダーでは、内壁全周に陰茎が当っていたが、本発明のシリンダーは凹溝をつけたため、陰茎の一部は凹溝の中に入り込むが、凹溝の隅角は空隙ができてシリンダー内壁面と陰茎との接触面積が縮小され、陰茎の伸張が軽やかになって、更にシリンダー内にゼリーを塗ることにより、当該角の空隙部にゼリーが入って、丁度ボールベアリングのグリースのような役目をして潤滑性を増し、摩擦抵抗が減少して速やかに陰茎は延びた。
【００２０】
２，更に、従来では真空ポンプのピストンを数回くり返して陰茎が徐々に伸張するのを待って５分程度かかっていたが、本発明では真空ポンプのピストンは数回引くだけで、陰茎は速やかに伸び、２分程度かけるだけで済ませられる。
【００２１】
次で、真空操作を止めてシリンダーから陰茎を抜き出すに際し、従来では真空ポンプのキャップを先ず外し、逆止弁のつまみを引張ってシリンダー内へ空気を入れてからシリンダーより陰茎を取出す操作をしていたが、本発明では真空ポンプのキャップにつけた舌片を指でこじあければ、真空ポンプについている吸引弁や排出弁の作動とは無関係にシリンダーは真空ポンプと瞬時に分離し、シリンダー内に空気が入って、凹溝が陰茎とシリンダー間の接触摩擦を従来より少なくして、且、潤滑効果も加わり、速やかにシリンダーから陰茎を取出すことができる。
【００２２】
３，かくして近年の少子化による国力の低下が心配されているが、国策に沿うことができ、更に男性に自信と元気を支える効果がある。
【図面の簡単な説明】
【図１】本発明に係るシリンダーの図２におけるＣ−Ｃ縦断面図
【図２】本発明に係るシリンダーの陰茎密閉環部を省略した右側面図
【図３】負圧作動中のシリンダー溝内への陰茎充満状況を示す一部拡大断面図
【図４】負圧式陰茎勃起装置全体図
【図５】真空ポンプとシリンダーの着脱可能な部分を示す斜視図
【符号の説明】
１…シリンダー
２…凹溝
２Ａ…空隙
３…陰茎密閉環
４…シリンダー内陰茎密閉環の嵌着部
５…シリンダーの突起部
６…嵌着座
７…真空ポンプ
８…キャップ
９…舌弁
１０…真空ポンプのシリンダー側吸引弁
１１…真空ポンプのピストン側排出弁
１２…陰茎
１２Ａ…一部
（Ａ）シリンダー開放端
（Ｂ）シリンダー開放端の反対側
【図１】
2004121383.tif 000003
【図２】
2004121383.tif 000004
【図３】
2004121383.tif 000005
【図４】
2004121383.tif 000006
【図５】
2004121383.tif 000007